(57)【要約】  ＤＴＳ（登録商標）サウンド・トラック（１２）を含む映画フィルム（１０）にオーディオ透かしを入れる方法は、サウンド・トラック内の同期化コード内に現れる１つ又は複数の識別子を選択的に削除することによって行われる。プロジェクタ（１０２）によるフィルムの上映により、ＤＴＳ（登録商標）読み出し器（１０４）は、ＤＴＳ（登録商標）ＣＤプレイヤ（１０６）に情報を送出する。それにより、識別子がない状態が検出され、相応に、オーディオ透かしが生成され得る。
2009544057.tif 000002
【特許請求の範囲】
【請求項１】
識別子を含む音再生情報を有する上演映画に透かしを入れる方法であって、
前記上演映画の上映が、削除するために選択される少なくとも１つの識別子に一意のオーディオ透かしをもたらすように、削除するために前記音再生情報内の少なくとも１つの識別子を選択する工程を含む方法。
【請求項２】
請求項１記載の方法であって、
前記上演映画は、音再生情報がフィルムの長さに沿ったサウンド・トラック内に同期化コードを含むフィルムを含み、
前記識別子は、前記サウンド・トラックに沿った、間を空けた場所において前記同期化コードとともに現れる連続番号を有し、
前記選択する工程は更に、削除するために少なくとも１つの連続番号を選択する工程を更に含む方法。
【請求項３】
請求項１記載の方法であって、前記選択する工程が、
少なくとも一シーンに関連付けられた識別子を有する前記上演映画における少なくとも一シーンに関連付けられたオーディオを取得する工程と、
前記少なくとも一シーンに関連付けられたオーディオを解析する工程と、
前記少なくとも一シーン中の前記オーディオが、削除するために選択された識別子によって生成された透かしを少なくとも部分的にマスクする場合、削除するために前記少なくとも一シーンに関連付けられた識別子を選択する工程とを含む方法。
【請求項４】
請求項１記載の方法であって、前記選択された識別子を示す情報でデータベースを更新する工程を更に含む方法。
【請求項５】
請求項３記載の方法であって、削除するために、少なくとも３つのシーンそれぞれに関連付けられた識別子を選択する工程を更に含む方法。
【請求項６】
選択的に削除された少なくとも１つの識別子を含む、音再生情報を有する上演映画フィルムの上映中にオーディオ透かしを生成する方法であって、
前記上演映画中のどの識別子が削除されているかを検出する工程と、
前記検出された削除識別子により、一意のオーディオ透かしを生成する工程とを含む方法。
【請求項７】
請求項６記載の方法であって、一意のオーディオ透かしを生成する工程は、１９２Ｈｚ以上２１０Ｈｚ以下の周波数の方形波信号を生成する工程を含む方法。
【請求項８】
請求項６記載の方法であって、前記上演映画は映画フィルムを含み、前記オーディオ透かしを生成する工程は、前記フィルム内の少なくとも２フレームの持続時間の間、前記オーディオ透かしを生成する工程を含む方法。
【請求項９】
請求項６記載の方法であって、前記オーディオ透かしを生成する工程は、そのレベルを変えることにより、前記オーディオ透かしをマスクする工程を含む方法。
【請求項１０】
少なくとも１つが選択的に削除される識別子を含む、音再生情報を有する映画フィルムを記録する方法であって、
前記少なくとも１つの選択的に削除される識別子により、前記フィルムの上映中に生成されるオーディオ透かしを記録する工程を含む方法。
【請求項１１】
請求項１０記載の方法であって、前記オーディオ透かしは、１９２Ｈｚ以上２１０Ｈｚ以下の周波数の方形波信号を含む方法。
【請求項１２】
請求項１１記載の方法であって、前記記録する工程は、前記フィルム内の少なくとも２つのフレームの持続時間の間、前記オーディオ透かしを記録する工程を含む方法。
【請求項１３】
音再生情報を有する上演映画内のオーディオ透かしの場所を識別する装置であって、
前記上演映画における前記音再生情報に関連付けられたオーディオ・データを取得する手段と、
オーディオ透かしを含める対象の、前記映画のシーン内の少なくとも一シーンを選択して、前記上演映画を一意に識別するよう前記取得オーディオを解析する手段と、
前記オーディオ透かしを含める対象の前記選択された少なくとも一シーンを識別する情報を記憶する手段とを有する装置。
【請求項１４】
識別子を含む音再生情報を有する映画フィルム内に少なくとも１つのオーディオ透かしを入れるシステムであって、
映画フィルムをプリントして、前記音再生情報及び前記識別子を作成する映画プリント装置と、
前記音再生情報内の識別子を削除するために、前記プリント装置によって収容されるレーザと、
削除するための、前記音再生情報内の少なくとも１つの識別子を示す情報を記憶するデータベースと、
（ａ）前記レーザに対するフィルム位置を示す、映画フィルム印刷装置によって生成される情報と、
（ｂ）削除するための、前記識別子を示す、前記データベース内の情報と
の同期化に応じ、前記識別子を削除するよう前記レーザを制御し、よって、前記フィルムが上映されると、前記削除された識別子により、オーディオ透かしの生成がトリガされる手段とを備えるシステム。
【請求項１５】
上演映画の海賊コピーを解析するシステムであって、
前記上演映画に関連付けられた基準オーディオを含むデータベースであって、前記基準オーディオが、前記上演映画の特定の有効コピーを一意に識別する少なくとも１つのオーディオ透かしを含むデータベースと、
前記海賊コピーからオーディオを取得する手段と、
前記上演映画に関連付けられた基準オーディオと前記取得オーディオを同期化させる手段と、
前記基準オーディオ内の少なくとも１つの透かしと比較するために、前記海賊コピー内の透かしを検出して、前記海賊コピーが記録された前記有効コピーの識別情報を判定する手段とを備えるシステム。
【発明の詳細な説明】
【技術分野】
【０００１】
本発明は、上演映画のソースを追跡する目的で、上演映画に対して透かしを入れる方法に関する。
【背景技術】
【０００２】
映画フィルムの不法に作製されたコピーが広範囲にわたって配布されることにより、映画産業が苦しみ続けている。「メディア海賊」と呼ばれることが多い、不法なコピーを作製する者は、種々のやり方でこれを行う。単純なメディア海賊は、多くの場合、映画館へこっそり持ち込まれたビデオ・カメラ又は同種の記録装置を利用して長編上演のコピーを不法に記録する。より高度なメディア海賊は、映画館員（例えば、映画館のオーナー又は映画館の映写技師）と共謀して、海賊が、光学的又は電子的手段により、封切映画のコピーを行い、それにより、ずっと高い品質のコピーが得られる。
【０００３】
海賊行為の発生率を減らすために、多くの映画スタジオは現在、受け取った特定の目的地まで封切映画を追跡することを可能にするために、映画館に配布される封切映画それぞれに、一意の透かしが入っていることを要求している。よって、特定の場所（例えば、イタリア国ローマ）に発送された封切映画は、米国ニューヨーク市に発送された同じ封切映画とは別の透かしを有することになる。透かしの特性、及び透かしが封切映画に埋め込まれる処理により、多くの場合、透かしが、不法に作製されたどのコピーにも現れることが確実になる。よって、不法に作製されたコピーにおける透かしのフレンジック解析により、映画スタジオ又はその指定エージェントは、不法に作製されたコピーのマスタとしての役目を担った特定の封切映画を識別することが可能である。不法に作製されたコピーのマスタとしての役目を担った封切映画の識別情報が分かれば、（特に、その映画館の館員がコピーにおいて共謀した場合、）映画スタジオが、識別された封切映画を受け取った映画館を識別し、適切な措置を講じることが可能になる。
【０００４】
現在、映画フィルムを一意に識別するための光学的透かし及びオーディオ透かしが存在している。光学的透かしは一般に、映画の視聴者に対して、より大きな影響を及ぼし、高度な海賊によって明らかにされる可能性が高い。オーディオ透かしには一般に、この欠点を被るものでない。しかし、オーディオ透かしは、他の欠点を被る。ＤＶＤ上で作製されたものであってもビデオテープ上で作製されたものであっても、映画の海賊コピーは一般に、フィルム自体とは別のソースから得られたオーディオ情報を収容している。例えば、米国内で配布された通常の映画プリント・フィルムは、英語ダビング版からのオーディオ及び米国版のフィルム・プリントから得られたビデオ情報を有する。
【発明の概要】
【発明が解決しようとする課題】
【０００５】
よって、前述の欠点を解消するオーディオ透かし入れ手法に対する必要性が存在している。
【課題を解決するための手段】
【０００６】
簡潔には、本願の原理の第１の局面によれば、サウンド・トラック内に１つ又は複数の識別子を有する、サウンド・トラックなどの音再生情報を有する、フィルムなどの上演映画に対して透かしを入れる方法が提供される。上記方法は、削除するための少なくとも１つの識別子を選択する工程を含む。識別子の選択的な削除により、上演映画の上映中に、一意の透かしを入れることが可能になる。
【０００７】
本願の原理の別の局面によれば、選択的に削除される識別子を含む音再生情報を有する上演映画の上映中に透かしを生成する方法が提供される。方法は、どの識別子が削除されているかを検出することにより、始まる。その後、選択的に削除される識別子に一意のオーディオ透かしが生成される。
【０００８】
本願の原理の更に別の局面によれば、選択的に削除される識別子を含む音再生情報を有する上演映画を記録する方法が提供される。上記方法は、上演映画の上映中に、選択的に削除された識別子によって生成されたオーディオ透かしを記録する工程を含む。
【図面の簡単な説明】
【０００９】
【図１】フィルムにおける種々のサウンド・トラックの場所を示す従来技術の映画フィルムの一部分を表す図である。
【図２】本願の原理によってディジタル・サウンドを再生し、オーディオ透かしを生成する映画サウンド・システムを表すブロック図である。
【図３】上演映画の上映中に１つ又は複数のオーディオ透かしが現れる映画の１つ又は一部分を選択するための本願の原理による方法の工程を表すフローチャートである。
【図４】上映中にフィルム内に１つ又は複数のオーディオ透かしを生成させるよう映画フィルムのプリントを制御するための、本願の原理によるシステムを表すブロック概略図である。
【図５】図４のプリント装置内の１つ又は複数のレーザを制御する制御回路を表す電気的な概略図である。
【図６】上演映画の海賊コピー内の１つ又は複数のオーディオ透かしを識別するよう上演映画の海賊コピーを上映するための、本願の原理による装置を表す図である。
【発明を実施するための形態】
【００１０】
本発明は、上演映画に透かしを入れる手法を提供し、特に、映画フィルムに透かしを入れる手法を提供する。本願の原理の透かし入れ手法を理解するために、映画フィルムによって収容される種々のサウンド情報の簡単な説明、並びに、前述のサウンド情報を再生する手法の簡単な説明は有用であることが明らかになるであろう。
【実施例】
【００１１】
図１は、従来技術による映画フィルム１０を表す。フィルム１０などの、今日の映画フィルムは通常、別の４つのタイプの音再生情報を収容する。実際には、音再生情報のタイプそれぞれは、「サウンド・トラック」という名称を呈している。前述の情報は、画像領域（図示せず）外にフィルムに沿って線形に現れる。４つのサウンド・トラックは通常、ディジタル・シアター・サウンド（登録商標）（ＤＴＳ）トラック１２と、ドルビー（登録商標）ディジタル・サウンド・トラック１４と、ステレオ光学式サウンド・トラック１６と、ソニー（登録商標）ＳＤＤＳサウンド・トラック１８とを含む。ＤＴＳサウンド・トラック１２によって収容される音再生情報は、他のトラック１４、１６及び１８によって収容されるものとは異なる。図２に関して更に詳細に説明するように、ＤＴＳ（登録商標）サウンド・トラック１２は、図１のフィルム１０内の視覚情報をＣＤ  ＲＯＭ上に記録されたオーディオ・データと同期化させる時間コード情報を含む。
【００１２】
図２は、図１の映画フィルム１０のＤＴＳサウンド・トラック１２による、ＤＴＳオーディオを再生する、本願の原理による映画サウンド・システム１００を表すブロック図である。図２のサウンド・システム１００は、プロジェクタ１０２（通常、３５ｍｍプロジェクタ）を有するが、場合によっては、プロジェクタは、図１の映画フィルム１０の上映に使用するような７０ｍｍ等のサイズを有し得る。プロジェクタ１０２は、図１のＤＴＳ（登録商標）サウンド・トラック１２内のＤＴＳ時間コードを読み出す読み出し器１０４を含む。図示していないが、プロジェクタ１０２は通常、全て図１のサウンド・トラック１４、１６及び１８を読み出すために、読み出し器１０４に加えて他の読み出し器を含む。
【００１３】
図２の読み出し器１０４によって読み出されたＤＴＳ（登録商標）時間コードは、ＤＴＳ（登録商標）ＣＤプレイヤ１０６に渡り、ＤＴＳ（登録商標）ＣＤプレイヤ１０６は、図１のフィルム１０によって収容される視覚情報の上映に関して再生されるためのオーディオ・データを含む少なくとも１つのＣＤ−ＲＯＭ１０８を再生する。すなわち、プロジェクタ１０２がフィルム１０を上映するにつれ、ＤＴＳ（登録商標）ＣＤプレイヤ１０６はＣＤ−ＲＯＭ１０８を再生する。ＤＴＳ  ＣＤプレイヤ１０６は、読み出し器１０４によって読み出された図１のＤＴＳサウンド・トラック１２上の時間コードを利用して、ＣＤ―ＲＯＭ１０８上のオーディオ・データをフィルム１０上の視覚情報と同期化させる。その目的で、ＣＤ−ＲＯＭ１０８は通常、オーディオ・データの同期化を容易にするために、ＤＴＳ（登録商標）ＣＤプレイヤ１０６によって読み出されるソフトウェアを含む。ソフトウェアは、ＣＤ−ＲＯＭ１０８上にある以外に他の場所に常駐し得る。ＤＴＳ（登録商標）ＣＤプレイヤ１０６によって再生されるオーディオ・データには通常、映画館１１６内のスピーカの組１１４を駆動させる１つ又は複数の増幅器１１２において受け取る前に、オーディオ・プロセッサ１１０（通常、ドルビー（登録商標）・プロセッサ）による処理が行われる。
【００１４】
ＤＴＳ（登録商標）ＣＤプレイヤ１０６がオーディオ・データを再生することを可能にすることに加えて、ソフトウェアは、本願の原理により、フィルム１０から選択的に削除された１つ又は複数の識別子がない状態を検出すると、ＣＤプレイヤが透かし（例えば、オーディオ・トーン、又は所定の組合せのトーン）を生成することを可能にする。これは、以下のように理解することが最も好適である。図１のＤＴＳ（登録商標）サウンド・トラック１２は、前述のように再生中にオーディオ・データをＤＴＳ（登録商標）ＣＤプレイヤ１０６が同期化させることを可能にする時間コードの組を含む。時間コードの組は、フィルムに沿って、間を空けた間隔で繰り返す連続番号を含む。例証的な実施例では、時間コードは、３０ｆｐｓ（毎秒３０フィート（９メートル））の速度で図１のフィルム１０上に記録される。フィルムが２４ｂｐｓで上映される場合、連続番号は１２．８フィルム・フレーム毎に現れる。よって、連続番号は、ＤＴＳ時間コードが記録された各ＤＴＳ長編リール上に、間を空けた場所に現れる。
【００１５】
後述するように、連続番号の１つ又は複数は、個々のフィルムそれぞれのプリント（すなわち、作製）中に選択的に削除することが可能である。削除された連続番号は、フィルムに一意のパターンをもたらす。例えば、フィルムの特定のリールは、フィルム上の既知の場所において、単一の連続番号を削除させ得る一方、別のフィルムの別のリールは、連続して削除される連続番号の対を有し得る。連続番号がないことにより、ＤＴＳ（登録商標）ＣＤプレイヤ１０６内のソフトウェアが、特定のオーディオ透かし（例えば、オーディオ・トーンや、トーンの組合せ）を生成する。例えば、オーディオ透かしは、フィルム１０が２４ｆｐｓで上映される場合、２フレームだけ持続する１９２Ｈｚ、２１０Ｈｚ又は２４０Ｈｚの方形波を含み得る。通常、オーディオ透かしは中央チャネルから現れるが、オーディオ透かしは、同様に容易に、右チャネル又は左チャネルから現れ得る。オーディオ透かしは、オーディオ透かしが聴かれるシーンに関連付けられたオーディオの平均レベルによって選択された可変レベルを有する。このようにして、シーン内の関連付けられたオーディオは、オーディオ透かしを少なくとも部分的にマスクする役目を担い得る。別のオプションは、低帯域マスキングを達成するよう、リアルタイムのオーディオ再生に関連して生じるディジタル・アナログ変換を修正する工程を含む。
【００１６】
図３は、シーンに対応するＤＴＳ（登録商標）時間コード内の１つ又は複数の連続番号を削除することにより、オーディオ透かしを入れるためにフィルム内の所望の場所を確立するための、本願の原理による処理の工程を表すフローチャートである。上記処理は、工程３００で始まる。工程３００の間、フィルムに関連付けられたオーディオ情報の取得が行われる。工程３００の間に取得されるオーディオは、種々のソースにおいて存在し得る。例えば、オーディオは、光学モノラルＤＴＳサウンド・トラック３０１上に存在し得る。あるいは、オーディオは、ディジタル・オーディオ・レコーダ３０２又はディスク・ドライブ３０３などのディジタル・ソースに存在しているディジタル・ファイルとして存在し得る。
【００１７】
オーディオ取得に続いて、シーン選択が工程３０４中に行われる。工程３０４中にシーンを選択する処理は通常、工程３０５中に、図１のフィルム１０内の種々のシーンのオーディオを聴き、特定のシーンに透かしを入れる適切性を判定するための解析を行うことを伴う。例えば、会話があってもわずかな会話しか有するものでなく、背景雑音があってもわずかな背景雑音しか有しない映画中シーンは、そのマークが目立つことが理由で、オーディオ透かしの選択肢としては劣悪となる可能性が高くなる。一方、周囲雑音の量が大きいシーンは、ずっと好適な選択肢であることが明らかになる可能性が高くなるが、これは、周囲雑音がオーディオ透かしをマスクするからである。
【００１８】
オーディオ取得の工程（工程３００）及びシーン選択の工程（工程３０４）を行うために、操作者は通常、ＰＣ又はアップル・マッキントッシュ（登録商標）・コンピュータ・オペレーティング・システムを利用するパソコンの形態をとるディジタル・オーディオ・ワークステーション３０６を利用する。シーン選択の結果は、後述するように、フィルムのプリントにその後、利用するためにデータベース３０６において記憶される。
【００１９】
図４は、印刷中に（すなわち、図１のフィルム１０の作製中に）図１のＤＴＳ（登録商標）サウンド・トラック１２内の１つ又は複数の連続番号を選択的に低減させて、フィルムを一意に識別する役目を担う１つ又は複数のオーディオ透かしを生成するための、本願の原理によるシステム４００のブロック概略図を示す。システムは、オーディオ透かしが現れるべき選択シーンに関する情報を得るためにデータベース３０６に対する接続を有するパソコン等などのコンピュータ４０２を含む。コンピュータ４０２は、図１のフィルム１０などの映画フィルムをプリントするための、当該技術分野において周知のプリント機４０４に対する接続も有する。前述のプリント機は通常、この目的で、感光させたネガ・プリントを使用して一定の長さのポジ・プリント・フィルムを露光させるための照明の組を含む。コンピュータ４０２は、プリント機上のレーザ源４０６のパス内にプリントのどのフレームが位置しているかを示す同期化情報をプリント機４０４から受け取る。
【００２０】
図３に関して説明したように、データベース３０６は、所望のオーディオ透かしを生成するために、ＤＴＳ（登録商標）時間コード連続番号を選択的に削除させた、フォルム内のシーンの情報を含む。コンピュータ４０２は、データベース３０６内の前述の情報を、プリント機４０４からの同期情報とともに利用して、レーザ・コントローラ４０８を介してレーザ源４０６を起動させるための、マシン４０４によってプリントされる、フィルムに沿った場所を判定する。言い換えれば、オーディオ透かしを含むべきシーンを含むフレームとレーザ４０６がアラインしているとコンピュータ４０２が判定すると、コンピュータは、コントローラ４０８に、フレームに関連付けられたＤＴＳ（登録商標）サウンド・トラック上の連続番号を抹消するようレーザをトリガさせる。
【００２１】
図５は、図４のプリント機４０４上のレーザ源４０６を制御するレーザ・コントローラ４０８のブロック概略図を表す。図５のレーザ・コントローラ４０８の中核には、図４のレーザ源４０６を制御する役目を担うマイクロプロセッサ５１０がある。実際には、図４のレーザ源４０６は、６５０ｎｍの光波長、２０ｎＷの電力レベル、及び最大１５５ＭＨｚの変調周波数を有する。図５のマイクロプロセッサは、レーザがフィルムを感光させる場所としての、フィルム上の穿孔により、マイクロプロセッサが算出を行うことを可能にするための同期化基準を提供する外部の１０２４ライン・エンコーダ（図示せず）への接続を有する。マイクロプロセッサ５１０は、
同期化基準を提供するエンコーダのタイプを選択し、
フィルム上のスプロケットのタイプを選択し、
レーザ源の電源を調節し、
遅延線（図示せず）を調節し、
レーザ源検査機能を選択し、
エンコーダのカウント・ユニットを選択し、
レーザ源のマイクロプロセッサ制御に関連付けられたパラメータを保存する
ことをマイクロプロセッサが行うことを可能にするソフトウェアを有する。
マイクロプロセッサ５１０に加えて、レーザ・コントローラ４０８は、コントローラ動作の種々の局面を示す情報を提供するための表示装置５１２（通常、液晶ディスプレイ５１２）も含む。
【００２２】
図６は、上述したやり方で供給される１つ又は複数のオーディオ透かしを含む映画フィルムの海賊コピー６０２のフォレンジック解析を行うための、本願の原理の局面によるシステム６００のブロック概略図を表す。海賊コピー６０２は、種々の形態（例えば、ＤＶＤ、ビデオ・テープや、映画フィルムなど）をとり得る。その形態にかかわらず、海賊コピー６０２は、本願の原理によるオーディオ透かしを有するフィルムから記録された場合、それ自体が透かしを含む。
【００２３】
海賊コピー６０２を検査するために、操作者は、プリント中に割り当てられる、フィルムの識別情報、並びに、フィルム内のオーディオ透かしの特性及び場所についての情報を前述のように含むデータベース３０６に接続されたオーディオ・ワークステーション６０４を利用する。オーディオ・ワークステーションは通常、ＰＣ又はアップル・マッキントッシュ（登録商標）オペレーティング・システムを有するパソコンの形態をとる。オーディオ・ワークステーション６０４の支援により、操作者はまず、オーディオを海賊コピー６０２から取得し、その後、前述したやり方で作成されたオーディオ透かしを含むオーディオ基準ファイルとの同期化に着手する。ワークステーション６０４を使用して、操作者は、オーディオ透かしを位置特定する目的でデータベース３０６からのデータから判定される、透かしを入れたシーンの解析に着手する。透かしを位置特定する処理は、海賊コピー６０２内のオーディオ透かしの場所を判定することを伴う。オーディオ透かしが生起する、海賊コピー６０２内の場所の知識から、操作者は、海賊コピーのマスタとしての役目を担った特定の封切映画プリントを識別することが可能である。
【００２４】
上記では、上演映画を一意に識別するために、上演映画内に１つ又は複数のオーディオ透かしを設けて、不法に作製されたコピーのソースを追跡する機構を提供する手法を説明している。
【図１】
2009544057.tif 000003
【図２】
2009544057.tif 000004
【図３】
2009544057.tif 000005
【図４】
2009544057.tif 000006
【図５】
2009544057.tif 000007
【図６】
2009544057.tif 000008
【国際調査報告】
2009544057.tif 000009
2009544057.tif 000010
2009544057.tif 000011